(57)【要約】【課題】ユーザに負担をかけることなく、表示装置に合わせて最適な映像出力端子の出力フォーマット形式を設定することができる映像出力装置を提供する。【解決手段】映像出力装置に複数の出力フォーマット形式で出力可能な映像出力端子（Ｄ端子）を備え、出力手段は出力フォーマット形式を順に切り替えて映像信号を表示装置に出力し、撮像手段は出力フォーマット形式が切り替わる度に表示部に表示される画像を撮像し、画像取得手段は撮像された画像の撮像画像データを取得し、判別手段は撮像画像データの各々に基づいて、出力した出力フォーマット形式に対応する画像であるか否かを判別し、出力設定手段は判別手段による判別結果に基づいて、出力した出力フォーマット形式に対応する画像であると判別された出力フォーマット形式のうち、最も上位の規格の出力フォーマット形式を設定する。【選択図】図１
2008182398.tif 000002
【特許請求の範囲】
【請求項１】
入力される映像信号に基づく画像を表示部に表示する表示装置と接続され、装置本体と、当該装置本体を遠隔操作するリモートコントローラと、を備える映像出力装置において、
前記装置本体は、
映像信号を複数の出力フォーマット形式で出力可能な映像出力端子と、
前記映像出力端子から出力する映像信号の出力フォーマット形式を順に切り替えて、切り替えた出力フォーマット形式毎に予め設定されたそれぞれ異なる色の映像信号を前記表示装置に出力する出力手段と、を備え、
前記リモートコントローラは、
前記出力手段により出力される映像信号の出力フォーマット形式が切り替わる度に、前記表示部に表示される画像を撮像する撮像手段と、
前記撮像手段により撮像された前記画像の撮像画像データを、接続ケーブルにより前記装置本体に送信する送信手段と、を備え、
前記装置本体は、
前記送信手段により送信された前記撮像画像データを取得する画像取得手段と、
前記画像取得手段により取得された前記撮像画像データの各々に基づいて、各撮像画像データの画像が、当該画像の映像信号を出力した出力フォーマット形式に対応する画像であるか否かを、前記撮像画像データの色に基づいて判別する判別手段と、
前記判別手段による判別結果に基づいて、前記画像の映像信号を出力した出力フォーマット形式に対応する画像であると判別された出力フォーマット形式のうち、最も上位の規格の出力フォーマット形式を、映像出力端子の出力フォーマット形式として設定する出力設定手段と、
を備えることを特徴とする映像出力装置。
【請求項２】
入力される映像信号に基づく画像を表示部に表示する表示装置と接続される映像出力装置において、
映像信号を複数の出力フォーマット形式で出力可能な映像出力端子と
前記映像出力端子から出力する映像信号の出力フォーマット形式を順に切り替えて、複数の出力フォーマット形式の映像信号を前記表示装置に出力する出力手段と、
前記出力手段により出力される映像信号の出力フォーマット形式が切り替わる度に、前記表示部に表示される画像を撮像する撮像手段と、
前記撮像手段により撮像された前記画像の撮像画像データを取得する画像取得手段と、
前記画像取得手段により取得された前記撮像画像データの各々に基づいて、各撮像画像データの画像が、当該画像の映像信号を出力した出力フォーマット形式に対応する画像であるか否かを判別する判別手段と、
前記判別手段による判別結果に基づいて、前記画像の映像信号を出力した出力フォーマット形式に対応する画像であると判別された出力フォーマット形式のうち、最も上位の規格の出力フォーマット形式を、映像出力端子の出力フォーマット形式として設定する出力設定手段と、
を備えることを特徴とする映像出力装置。
【請求項３】
入力される映像信号に基づく画像を表示部に表示する表示装置と接続され、装置本体と、当該装置本体を遠隔操作するリモートコントローラと、を備える映像出力装置において、
前記装置本体は、
映像信号を複数の出力フォーマット形式で出力可能な映像出力端子と、
前記映像出力端子から出力する映像信号の出力フォーマット形式を順に切り替えて、複数の出力フォーマット形式の映像信号を前記表示装置に出力する出力手段と、を備え、
前記リモートコントローラは、
前記出力手段により出力される映像信号の出力フォーマット形式が切り替わる度に、前記表示部に表示される画像を撮像する撮像手段と、
前記撮像手段により撮像された前記画像の撮像画像データを前記装置本体に送信する送信手段と、を備え、
前記装置本体は、
前記送信手段により送信された前記撮像画像データを取得する画像取得手段と、
前記画像取得手段により取得された前記撮像画像データの各々に基づいて、各撮像画像データの画像が、当該画像の映像信号を出力した出力フォーマット形式に対応する画像であるか否かを判別する判別手段と、
前記判別手段による判別結果に基づいて、前記画像の映像信号を出力した出力フォーマット形式に対応する画像であると判別された出力フォーマット形式のうち、最も上位の規格の出力フォーマット形式を、映像出力端子の出力フォーマット形式として設定する出力設定手段と、
を備えることを特徴とする映像出力装置。
【請求項４】
前記出力手段は、切り替えた出力フォーマット形式毎に、予め設定されたそれぞれ異なる色の映像信号を前記表示装置に出力し、
前記判別手段は、前記撮像画像データの色に基づいて判別を行うことを特徴とする請求項３に記載の映像出力装置。
【請求項５】
入力される映像信号に基づく画像を表示部に表示する表示装置と接続される映像出力装置において、
映像信号を複数の出力フォーマット形式で出力可能な映像出力端子と、
前記映像出力端子から出力する映像信号の出力フォーマット形式を順に切り替えて、切り替えた出力フォーマット形式毎に予め設定されたそれぞれ異なる周期で点滅する映像信号を前記表示装置に出力する出力手段と、
受光した光に基づいて光電変換を行い、電気信号を出力する受光手段と、
前記出力手段により出力される映像信号の出力フォーマット形式が切り替わる度に、前記受光手段により出力された電気信号を取得する取得手段と、
前記取得手段により取得された電気信号に基づく映像信号の点滅の周期の各々が、当該映像信号を出力した出力フォーマット形式に対応する点滅の周期であるか否かを判別する判別手段と、
前記判別手段による判別結果に基づいて、前記映像信号を出力した出力フォーマット形式に対応する点滅の周期であると判別された出力フォーマット形式のうち、最も上位の規格の出力フォーマット形式を、映像出力端子の出力フォーマット形式として設定する出力設定手段と、
を備えることを特徴とする映像出力装置。
【発明の詳細な説明】
【技術分野】
【０００１】
本発明は、表示装置に対して映像信号を出力するための複数の映像出力端子を備える映像出力装置に関する。
【背景技術】
【０００２】
従来から、テレビジョン受像機等の表示装置に接続され、映像信号を入力するビデオ装置等の映像出力装置が普及している。映像出力装置に備わる映像出力端子は多様化しており、映像信号を様々な信号出力方式で出力することができる。
映像出力装置に備わる映像出力端子として、例えば、輝度信号（Ｙ）と、色信号（Ｃ）を分離したＲ−Ｙ・Ｂ−Ｙの色差信号と、に分けた映像信号を、一本のケーブルで伝送するＤ端子が開発されている。このＤ端子には、対応可能な映像信号のフォーマット形式（有効走査線数・走査方式）がそれぞれ異なるＤ１端子〜Ｄ５端子の規格があり、上位の規格のＤ端子は下位の規格のＤ端子に対して互換性がある。すなわち、映像出力装置からＤ端子入力の可能な表示装置に映像信号を出力する場合、最も下位の規格であるＤ１端子のフォーマット形式（すなわち、４８０ｉ（有効走査線４８０本・インターレース方式））で出力を行えば確実に映像が表示されることとなるものの、映像をより高解像度で表示させるためには、その表示装置に備わるＤ端子が対応するフォーマット形式のうち、最も上位の規格のフォーマット形式により出力を行うことが望ましい。
【０００３】
例えば、Ｄ３端子は、下位の規格であるＤ１端子及びＤ２端子の映像フォーマットである４８０ｉ及び４８０ｐに加え、１０８０ｉに対応しており、現行のハイビジョン放送に対応する。表示装置側がこのＤ３端子での入力に対応する場合、映像出力装置側からもＤ３端子のフォーマット形式（すなわち、１０８０ｉ）により映像信号を出力すれば、表示装置において、ハイビジョン放送をハイビジョン画質で観ることが可能となる。
一方、Ｄ３端子が表示装置側に備わっている場合であっても、映像出力装置側においてＤ３端子のフォーマット形式により出力を行う設定がなされていない場合には、表示装置においてハイビジョン放送がハイビジョン画質で表示されず、より低解像度の映像を観ることとなる。
【０００４】
ところで、一般的なユーザは、接続端子に関する専門知識を把握していない場合も多く、ユーザが自ら最適な映像出力端子のフォーマット形式を設定することは困難である。そのため、上述のように、高解像度入力が可能な表示装置であっても、映像出力装置側で最適な映像出力端子を設定できず、表示装置の能力を十分に生かすことできない場合があるという問題があった。
【０００５】
そこで、特許文献１には、接続モニタにより複数フォーマットを順次出力させるとともに、音声により映像が表示されているかをユーザに問い合わせ、ユーザがその音声を聞いてリモコン装置により表示可能／表示不可能の指示を与え、それに基づいて最適な端子を設定する映像出力装置が開示されている。
【特許文献１】特開２００５−１１７３０６号公報
【発明の開示】
【発明が解決しようとする課題】
【０００６】
しかしながら、特許文献１の映像出力装置では、映像が表示されている否かの判断をユーザが行うとともに、映像が表示されているか又は表示されていないかの判断結果を手入力しなければならないため、ユーザに負担がかかってしまうという問題があった。
【０００７】
本発明の課題は、ユーザに負担をかけることなく、表示装置に合わせて最適な映像出力端子の出力フォーマット形式を設定することができる映像出力装置を提供することである。
【課題を解決するための手段】
【０００８】
上記課題を解決するため、請求項１に記載の発明は、入力される映像信号に基づく画像を表示部に表示する表示装置と接続され、装置本体と、当該装置本体を遠隔操作するリモートコントローラと、を備える映像出力装置において、
前記装置本体は、
映像信号を複数の出力フォーマット形式で出力可能な映像出力端子と、
前記映像出力端子から出力する映像信号の出力フォーマット形式を順に切り替えて、切り替えた出力フォーマット形式毎に予め設定されたそれぞれ異なる色の映像信号を前記表示装置に出力する出力手段と、を備え、
前記リモートコントローラは、
前記出力手段により出力される映像信号の出力フォーマット形式が切り替わる度に、前記表示部に表示される画像を撮像する撮像手段と、
前記撮像手段により撮像された前記画像の撮像画像データを、接続ケーブルにより前記装置本体に送信する送信手段と、を備え、
前記装置本体は、
前記送信手段により送信された前記撮像画像データを取得する画像取得手段と、
前記画像取得手段により取得された前記撮像画像データの各々に基づいて、各撮像画像データの画像が、当該画像の映像信号を出力した出力フォーマット形式に対応する画像であるか否かを、前記撮像画像データの色に基づいて判別する判別手段と、
前記判別手段による判別結果に基づいて、前記画像の映像信号を出力した出力フォーマット形式に対応する画像であると判別された出力フォーマット形式のうち、最も上位の規格の出力フォーマット形式を、映像出力端子の出力フォーマット形式として設定する出力設定手段と、
を備えることを特徴とする。
【０００９】
請求項２に記載の発明は、入力される映像信号に基づく画像を表示部に表示する表示装置と接続される映像出力装置において、
映像信号を複数の出力フォーマット形式で出力可能な映像出力端子と
前記映像出力端子から出力する映像信号の出力フォーマット形式を順に切り替えて、複数の出力フォーマット形式の映像信号を前記表示装置に出力する出力手段と、
前記出力手段により出力される映像信号の出力フォーマット形式が切り替わる度に、前記表示部に表示される画像を撮像する撮像手段と、
前記撮像手段により撮像された前記画像の撮像画像データを取得する画像取得手段と、
前記画像取得手段により取得された前記撮像画像データの各々に基づいて、各撮像画像データの画像が、当該画像の映像信号を出力した出力フォーマット形式に対応する画像であるか否かを判別する判別手段と、
前記判別手段による判別結果に基づいて、前記画像の映像信号を出力した出力フォーマット形式に対応する画像であると判別された出力フォーマット形式のうち、最も上位の規格の出力フォーマット形式を、映像出力端子の出力フォーマット形式として設定する出力設定手段と、
を備えることを特徴とする。
【００１０】
請求項３に記載の発明は、入力される映像信号に基づく画像を表示部に表示する表示装置と接続され、装置本体と、当該装置本体を遠隔操作するリモートコントローラと、を備える映像出力装置において、
前記装置本体は、
映像信号を複数の出力フォーマット形式で出力可能な映像出力端子と、
前記映像出力端子から出力する映像信号の出力フォーマット形式を順に切り替えて、複数の出力フォーマット形式の映像信号を前記表示装置に出力する出力手段と、を備え、
前記リモートコントローラは、
前記出力手段により出力される映像信号の出力フォーマット形式が切り替わる度に、前記表示部に表示される画像を撮像する撮像手段と、
前記撮像手段により撮像された前記画像の撮像画像データを前記装置本体に送信する送信手段と、を備え、
前記装置本体は、
前記送信手段により送信された前記撮像画像データを取得する画像取得手段と、
前記画像取得手段により取得された前記撮像画像データの各々に基づいて、各撮像画像データの画像が、当該画像の映像信号を出力した出力フォーマット形式に対応する画像であるか否かを判別する判別手段と、
前記判別手段による判別結果に基づいて、前記画像の映像信号を出力した出力フォーマット形式に対応する画像であると判別された出力フォーマット形式のうち、最も上位の規格の出力フォーマット形式を、映像出力端子の出力フォーマット形式として設定する出力設定手段と、
を備えることを特徴とする。
【００１１】
請求項４に記載の発明は、請求項３に記載の映像出力装置において、前記出力手段は、切り替えた出力フォーマット形式毎に、予め設定されたそれぞれ異なる色の映像信号を前記表示装置に出力し、
前記判別手段は、前記撮像画像データの色に基づいて判別を行うことを特徴とする。
【００１２】
請求項５に記載の発明は、入力される映像信号に基づく画像を表示部に表示する表示装置と接続される映像出力装置において、
映像信号を複数の出力フォーマット形式で出力可能な映像出力端子と、
前記映像出力端子から出力する映像信号の出力フォーマット形式を順に切り替えて、切り替えた出力フォーマット形式毎に予め設定されたそれぞれ異なる周期で点滅する映像信号を前記表示装置に出力する出力手段と、
受光した光に基づいて光電変換を行い、電気信号を出力する受光手段と、
前記出力手段により出力される映像信号の出力フォーマット形式が切り替わる度に、前記受光手段により出力された電気信号を取得する取得手段と、
前記取得手段により取得された電気信号に基づく映像信号の点滅の周期の各々が、当該映像信号を出力した出力フォーマット形式に対応する点滅の周期であるか否かを判別する判別手段と、
前記判別手段による判別結果に基づいて、前記映像信号を出力した出力フォーマット形式に対応する点滅の周期であると判別された出力フォーマット形式のうち、最も上位の規格の出力フォーマット形式を、映像出力端子の出力フォーマット形式として設定する出力設定手段と、
を備えることを特徴とする。
【発明の効果】
【００１３】
請求項１に記載の発明によれば、装置本体において、映像信号を複数の出力フォーマット形式で出力可能な映像出力端子が備わるとともに、出力手段により、映像出力端子から出力する映像信号の出力フォーマット形式が順に切り替えられて、切り替えられた出力フォーマット形式毎に予め設定されたそれぞれ異なる色の映像信号が表示装置に出力され、リモートコントローラにおいて、撮像手段により、出力手段により出力される映像信号の出力フォーマット形式が切り替わる度に、表示部に表示される画像が撮像され、送信手段により、撮像手段により撮像された画像の撮像画像データが、接続ケーブルにより装置本体に送信され、装置本体において、画像取得手段により、送信手段により送信された撮像画像データが取得され、判別手段により、画像取得手段により取得された撮像画像データの各々に基づいて、各撮像画像データの画像が、当該画像の映像信号を出力した出力フォーマット形式に対応する画像であるか否かが、撮像画像データの色に基づいて判別され、出力設定手段により、判別手段による判別結果に基づいて、当該画像の映像信号を出力した出力フォーマット形式に対応する画像であると判別された出力フォーマット形式のうち、最も上位の規格の出力フォーマット形式が、映像出力端子の出力フォーマット形式として設定される。
したがって、映像出力装置側で、各出力フォーマット形式に対応する画像が表示されているかが判別され、その判別結果に基づいて表示装置が画像表示できる出力フォーマット形式のうち、最も上位の規格の出力フォーマット形式が自動的に設定されることとなるので、ユーザに負担をかけることなく、表示装置に合った最適な映像出力端子を設定することができる映像出力装置を提供することができる。また、各出力フォーマット形式に対応する画像が表示されているか否かの判別が、撮像画像データの色により行われるので、判別が容易且つ確実に行われることとなる。また、リモートコントローラは映像出力装置と接続ケーブルにより接続されているので、リモートコントローラからのデータを確実に映像出力装置に入力することができる。
【００１４】
請求項２に記載の発明によれば、映像信号を複数の出力フォーマット形式で出力可能な映像出力端子が備わるとともに、出力手段により、映像出力端子から出力する映像信号の出力フォーマット形式が順に切り替えられて、複数の出力フォーマット形式の映像信号が表示装置に出力され、撮像手段により、出力手段により出力される映像信号の出力フォーマット形式が切り替わる度に、表示部に表示される画像が撮像され、画像取得手段により、撮像手段により撮像された画像の撮像画像データが取得され、判別手段により、画像取得手段により取得された撮像画像データの各々に基づいて、各撮像画像データの画像が、当該画像の映像信号を出力した出力フォーマット形式に対応する画像であるか否かが判別され、出力設定手段により、判別手段による判別結果に基づいて、当該画像の映像信号を出力した出力フォーマット形式に対応する画像であると判別された出力フォーマット形式のうち、最も上位の規格の出力フォーマット形式が、映像出力端子の出力フォーマット形式として設定される。
したがって、映像出力装置側で、各出力フォーマット形式に対応する画像が表示されているかが判別され、その判別結果に基づいて表示装置に合った最適な出力フォーマット形式が自動的に設定されることとなるので、ユーザに負担をかけることなく、表示装置に合った最適な映像出力端子を設定することができる映像出力装置を提供することができる。
【００１５】
請求項３に記載の発明によれば、装置本体において、映像信号を複数の出力フォーマット形式で出力可能な映像出力端子が備わるとともに、出力手段により、映像出力端子から出力する映像信号の出力フォーマット形式が順に切り替えられて、複数の出力フォーマット形式の映像信号が表示装置に出力され、リモートコントローラにおいて、撮像手段により、出力手段により出力される映像信号の出力フォーマット形式が切り替わる度に、表示部に表示される画像が撮像され、送信手段により、撮像手段により撮像された画像の撮像画像データが装置本体に送信され、装置本体において、画像取得手段により、送信手段により送信された撮像画像データが取得され、判別手段により、画像取得手段により取得された撮像画像データの各々に基づいて、各撮像画像データの画像が、当該画像の映像信号を出力した出力フォーマット形式に対応する画像であるか否かが判別され、出力設定手段により、判別手段による判別結果に基づいて、当該画像の映像信号を出力した出力フォーマット形式に対応する画像であると判別された出力フォーマット形式のうち、最も上位の規格の出力フォーマット形式が、映像出力端子の出力フォーマット形式として設定される。
したがって、映像出力装置側で、各出力フォーマット形式に対応する画像が表示されているかが判別され、その判別結果に基づいて表示装置に合った最適な出力フォーマット形式が自動的に設定されることとなるので、ユーザに負担をかけることなく、表示装置に合った最適な映像出力端子を設定することができる映像出力装置を提供することができる。
【００１６】
請求項４に記載の発明によれば、請求項３に記載の発明の効果が得られるのは無論のこと、出力手段により、切り替えた出力フォーマット形式毎に、予め設定されたそれぞれ異なる色の映像信号が表示装置に出力され、判別手段により、撮像画像データの色に基づいて判別が行われる。
したがって、各出力フォーマット形式に対応する画像が表示されているか否かの判別が、容易且つ確実に行われることとなる。
【００１７】
請求項５に記載の発明によれば、映像信号を複数の出力フォーマット形式で出力可能な映像出力端子が備わるとともに、出力手段により、映像出力端子から出力する映像信号の出力フォーマット形式が順に切り替えられて、切り替えた出力フォーマット形式毎に予め設定されたそれぞれ異なる周期で点滅する映像信号が表示装置に出力され、受光手段により、受光した光に基づいて光電変換が行われて、電気信号が出力され、取得手段により、出力手段により出力される映像信号の出力フォーマット形式が切り替わる度に、受光手段により出力された電気信号が取得され、判別手段により、取得手段により取得された電気信号に基づく映像信号の点滅の周期の各々に基づいて、当該映像信号を出力した出力フォーマット形式に対応する点滅の周期であるか否かが判別され、出力設定手段により、判別手段による判別結果に基づいて、前記映像信号を出力した出力フォーマット形式に対応する点滅の周期であると判別された出力フォーマット形式のうち、最も上位の規格の出力フォーマット形式が、映像出力端子の出力フォーマット形式として設定される。
したがって、映像出力装置側で、各出力フォーマット形式に対応する画像が表示されているかが判別され、その判別結果に基づいて表示装置が画像表示できる出力フォーマット形式のうち、最も上位の規格の出力フォーマット形式が自動的に設定されることとなるので、ユーザに負担をかけることなく、表示装置に合った最適な映像出力端子を設定することができる映像出力装置を提供することができる。
【発明を実施するための最良の形態】
【００１８】
（実施形態１）
以下、本発明を適用した実施形態１を、図１〜図７を参照しながら詳細に説明する。
実施形態１では、映像出力装置としてＤＶＤ(Digital Versatile Disc)プレーヤ１００を例示して説明を行うとともに、このＤＶＤプレーヤ１００に接続される表示装置としてテレビジョン受像機２００を例示して説明を行うこととする。
【００１９】
まず、本実施形態１におけるＤＶＤプレーヤ１００及びテレビジョン受像機２００の全体構成について説明する。図１は、実施形態１におけるＤＶＤプレーヤ１００及びテレビジョン受像機２００の全体構成を例示する図である。
図１に示すように、本実施形態におけるＤＶＤプレーヤ１００は、テレビジョン受像機２００と接続されており、ＤＶＤ１１ａを再生して再生された映像データ等の各種データをテレビジョン受像機２００に出力し、テレビジョン受像機２００に映像を表示させる。
【００２０】
本実施形態１におけるテレビジョン受像機２００はＤ端子３３ａを備え、Ｄ端子入力が可能である。また、ＤＶＤプレーヤ１００は、複数の出力フォーマット形式により映像信号を出力可能なＤ端子１５ａ（すなわち、Ｄ１端子を除くＤ２〜Ｄ５端子の何れか）を備え、Ｄ端子ケーブルＤ１によりテレビジョン受像機２００に映像信号を送信する。
Ｄ端子１５ａにより映像信号をテレビジョン受像機２００に出力する場合、テレビジョン受像機２００に備わるＤ端子３３ａが対応するフォーマット形式のうち、最も上位の規格の出力フォーマット形式で出力を行うことが望ましい。そのため、本実施形態１では、ＤＶＤプレーヤ１００から、このＤＶＤプレーヤ１００に備わるＤ端子１５ａが対応するそれぞれの出力フォーマット形式により、映像信号をテレビジョン受像機２００に出力させるとともに、テレビジョン受像機２００側に表示される映像をリモートコントローラ２に設けられた撮像部２３に撮像させ、撮像された画像が、出力した出力フォーマット形式に対応しているか否かに基づいて、テレビジョン受像機２００のＤ端子３３ａが対応するフォーマット形式を判別し、テレビジョン受像機２００のＤ端子３３ａが対応するフォーマット形式のうち、最も上位の規格のフォーマット形式を出力フォーマット形式として自動的にＤＶＤプレーヤ１００に設定するＤ端子最適化処理を行う。
【００２１】
（テレビジョン受像機の構成）
まず、テレビジョン受像機２００の要部構成について説明する。図２は、実施形態１におけるテレビジョン受像機２００の要部構成を例示するブロック図である。
テレビジョン受像機２００は、図１及び図２に示すように、当該テレビジョン受像機２００に映像データ等の各種データを入力するＤＶＤプレーヤ１００とＤ端子ケーブルＤ１を介して接続され、ＤＶＤプレーヤ１００から入力される映像データに基づく映像を表示する。
【００２２】
テレビジョン受像機２００は、装置本体１内に、アンテナ、チューナ等を備え、放送信号を受信する信号受信部３１と、信号受信部３１から入力される放送信号に対して復調・デコード等の所定の信号処理を行う信号処理部３２と、映像入力端子を備える入力端子部３３と、入力されるデータを切替選択する切替部３４と、映像データに対して所定の映像処理を行う映像処理部３５と、音声データに対して所定の音声処理を行う音声処理部３６と、表示部３８に入力される映像データに対してＯＳＤ(On Screen Display)データを付加するＯＳＤ回路３７と、映像処理部３５から入力される映像データに基づいて映像を表示する表示部３８と、音声処理部３６から入力される音声データに基づいて音声を出力する音声出力部３９と、テレビジョン受像機２００の各部を統括制御する制御部４０と、等を備えて構成されている。
【００２３】
入力端子部３３は、例えば、映像入力端子を備えて構成され、少なくとも１つのＤ端子３３ａを備えている。当該Ｄ端子３３ａは、Ｄ端子ケーブルＤ１により、ＤＶＤプレーヤ１００の出力端子部１５に備わるＤ端子と接続され、ＤＶＤプレーヤ１００から出力される映像データを受信する。
【００２４】
切替部３４は、制御部４０による制御に従って、入力端子部３３に備わる映像入力端子と、信号処理部３２とのうちの何れかの接続に切り替えることにより、入力されるデータを切替選択して、後段の映像処理部３５・音声処理部３６等に出力する。
【００２５】
映像処理部３５は、切替部３４から入力される映像データに対して各種の映像処理を行って、映像信号を生成するとともに、生成した映像信号を表示部３８に出力する。
音声処理部３６は、切替部３４から入力される音声データに対して各種の音声処理を行って、音声信号を生成するとともに、生成した音声信号を音声出力部３９に出力する。
ＯＳＤ回路３７は、表示部３８に出力される映像データに対して、図示しないメモリ部等に格納された図示しないＯＳＤデータを合成する処理を行う。
【００２６】
表示部３８は、例えば、ＬＣＤ(Liquid Crystal Display)等の図示しないディスプレイを備えており、映像処理部３５から入力された映像データに基づく映像をこのディスプレイに表示する。
ＤＶＤプレーヤ１００から送信された映像データが、入力端子部３３に備わるＤ端子３３ａにより受信された場合、当該Ｄ端子３３ａがＤＶＤプレーヤ１００からの出力フォーマット形式に対応している場合のみ、表示部３８に、受信された映像データに基づく映像が表示されることとなる。一方、入力端子部３３に備わるＤ端子３３ａが、ＤＶＤプレーヤ１００からの出力フォーマット形式に対応していない場合には、表示部３８に、受信された映像データに基づく映像は表示されないこととなる。
音声出力部３９は、図示しないスピーカ等を備え、音声処理部３６から入力された音声データに基づく音声をスピーカから出力する。
【００２７】
制御部４０は、図示は省略するが、例えば、テレビジョン受像機２００の動作全般を統括制御するＣＰＵと、各種のデータを記憶するメモリ部と、各種プログラムを格納しているＲＯＭ等を備え、ＣＰＵによりＲＯＭに格納された各種プログラムが実行されることにより、テレビジョン受像機２００全体を制御している。
【００２８】
（ＤＶＤプレーヤの構成）
次に、ＤＶＤプレーヤ１００の要部構成について説明する。
ＤＶＤプレーヤ１００は、ＤＶＤ１１ａに記録された映像データ等の各種データを再生し、再生された映像データ等のデータを、テレビジョン受像機２００にケーブルを介して出力する装置本体１と、当該装置本体１を遠隔操作するためのリモートコントローラ（以下、リモコンと称する）２と、を備えて構成され、Ｄ端子ケーブルＤ１によりテレビジョン受像機２００と接続されている。
図３は、実施形態１におけるリモコン２の要部構成を例示するブロック図である。また、図４は、実施形態１における装置本体１の要部構成を例示するブロック図である。
【００２９】
まず、リモコン２の構成について説明する。
リモコン２は、例えば、図１及び図３に示すように、キー操作部２１と、発光部２２と、撮像手段としての撮像部２３と、送信手段としての送信部２４と、制御部２５と、等を備えて構成され、キー操作部２１におけるキー操作に基づいて装置本体１を遠隔操作するとともに、撮像部２３により撮像された撮像画像データ（後述）を、接続ケーブルＣ１を介して装置本体１に対して入力する。
【００３０】
キー操作部２１は、例えば、ユーザが各種指示を入力するための複数のキーを備えており、ユーザによりキーの押下操作がなされると、押下されたキーに対応する赤外線等の入力操作信号が赤外線ＬＥＤ等の発光部２２から出力される。
具体的には、キー操作部２１は、接続調整ボタン２１ａを備えて構成される。この接続調整ボタン２１ａが、Ｄ端子最適化処理においてユーザにより押下されると、後述する撮像プログラム２５３ａ及び送信プログラム２５３ｂの実行が開始されることとなる。より具体的には、例えば、Ｄ端子最適化処理が開始されると、初めに、テレビジョン受像機２００の表示画面に「Ｄ端子最適化処理を実行する場合はリモコン２の接続調整ボタン２１ａを押して、リモコン２のカメラをＴＶ画面に向けてください」等の表示が行われる。この表示に基づいて、ユーザにより接続調整ボタン２１ａが押下されると、撮像部２３による撮像が開始される。
【００３１】
撮像部２３は、例えば、撮像レンズ２３ａ、撮像素子２３ｂ、Ａ／Ｄコンバータ２３ｃ等を備えて構成され、撮像した撮像画像データを送信部２４に出力する。
撮像素子２３ｂは、例えば、ＣＣＤ（Charged Coupled Device）や、ＣＭＯＳ（Complementary Metal-oxide Semiconductor）等の半導体素子であり、テレビジョン受像機２００のディスプレイを撮像することにより撮像レンズ２３ａを介して入光された光の強弱を電気信号に変換して、Ａ／Ｄコンバータ２３ｃに出力する。
Ａ／Ｄコンバータ２３ｃは、撮像素子２３ｂから入力されたアナログの電気信号をデジタル画像データに変換して、送信部２４に出力する。
【００３２】
送信部２４は、撮像部２３から入力された撮像画像データを、接続ケーブルＣ１を介してＤＶＤプレーヤ１００の装置本体１に備わる受信部１６に送信する。
【００３３】
制御部２５は、ＣＰＵ（Central Processing Unit）２５１、メモリ部２５２、ＲＯＭ（Read Only Memory）２５３等を備えて構成されている。
【００３４】
ＣＰＵ２５１は、リモコン２の各部から入力された入力信号や、キー操作部２１における各種キーの押下操作に基づく入力操作信号等に応じて、ＲＯＭ２５３に格納された各種プログラムを実行するとともに、実行にかかるプログラムに基づいてリモコン２の各部に出力信号を出力することにより、リモコン２の動作全般を統括制御する。
【００３５】
メモリ部２５２は、例えば、ＣＰＵ２５１によって各種プログラムが実行される際に生じる処理結果や、入力されたデータ等を記憶するＲＡＭ（Random Access Memory）等の揮発性メモリからなるワークエリア（図示省略）と、ＥＰＲＯＭ（Erasable Programmable ROM）等の不揮発性メモリからなるデータエリア（図示省略）を備えて構成される。
【００３６】
ＲＯＭ２５３は、例えば、不揮発性メモリからなるプログラム格納エリアを有しており、具体的には、撮像プログラム２５３ａ、送信プログラム２５３ｂ等を格納している。
【００３７】
撮像プログラム２５３ａは、例えば、ＣＰＵ２５１に、ＤＶＤプレーヤ１００における出力プログラム１９３ａの実行により出力される映像信号の出力フォーマット形式が切り替わる度に、テレビジョン受像機２００の表示部３８に表示される画像を撮像する機能を実現させるためのプログラムである。
具体的には、ＤＶＤプレーヤ１００の装置本体１においてＤ端子最適化処理が開始され、表示部３８の表示に基づいて、ユーザによりキー操作部２１における接続調整ボタン２１ａが押下操作されて、当該押下操作に基づく入力操作信号が制御部２５に出力されると、ＣＰＵ２５１は、撮像部２３における撮像を開始する。リモコン２は表示部３８のディスプレイに向けられているため、撮像部２３では表示部３８に表示される画像が撮像されることとなる。さらに、ＣＰＵ２５１は、撮像部２３において撮像された画像の撮像画像データを、所定の間隔（例えば、１秒間隔）で、送信部２４に出力させる。
ＣＰＵ２５１は、かかる撮像プログラム２５３ａを実行することにより、撮像部２３とともに撮像手段として機能する。
【００３８】
送信プログラム２５３ｂは、例えば、ＣＰＵ２５１に、撮像部２３により撮像された画像の撮像画像データを、接続ケーブルＣ１により装置本体１に送信する機能を実現させるためのプログラムである。
具体的には、ＣＰＵ２５１は、撮像プログラム２５３ａの実行により撮像部２３においてテレビジョン受像機２００の表示部３８が撮像されると、撮像部２３において撮像された画像の撮像画像データを、送信部２４により、接続ケーブルＣ１を介して装置本体１に送信する。
ＣＰＵ２５１は、かかる撮像プログラム２５３ａを実行することにより、送信部２４とともに送信手段として機能する。
【００３９】
次に、装置本体１の構成について説明する。
装置本体１は、図１及び図３に示すように、ＤＶＤ１１ａに記録されたコンテンツデータの再生を行うＤＶＤドライブ部１１と、ＤＶＤドライブ部１１から取り込んだコンテンツデータを各部に出力するデータプロセッサ１２と、ＤＶＤドライブ部１１から出力されたコンテンツデータに所定のデコード処理を行うデコーダ部１３と、デコーダ部１３から出力される映像データに対して、所定のフォーマット変換処理を行うフォーマット変換部１４と、映像出力端子を備える出力端子部１５と、リモコン２から送信される撮像画像データを受信する画像取得手段としての受信部１６と、受信部１６において受信される撮像画像データに対して所定の画像解析を行う画像解析部１７と、リモコン２からの入力操作信号を受光するリモコン信号受光部１８と、装置本体１の各部を制御する制御部１９と等を備えて構成されている。
【００４０】
ＤＶＤドライブ部１１は、例えば、ＤＶＤドライブ部１１のディスクトレイ（図示省略）に装填されるＤＶＤ１１ａと、ＤＶＤ１１ａに記録されたデータの読み出しを行う光ピックアップ１１ｂと、ディスクトレイに装填されたＤＶＤ１１ａを回転駆動させるスピンドルモータ１１ｃと、光ピックアップ１１ｂをＤＶＤ１１ａの半径方向に移動させる送りモータ１１ｄと、等を備えて構成されており、光ピックアップ１１ｂによりＤＶＤ１１ａの反射層にレーザ光を照射し、光電変換及び電流電圧変換によって反射光に応じた電圧信号を生成することにより、ＤＶＤ１１ａに記録されたデータの読み出しを行い、後段のデータプロセッサ１２に出力することによりＤＶＤ１１ａに記録されたコンテンツデータの再生処理が行われる。
【００４１】
データプロセッサ１２は、例えば、バッファメモリ１２ａを備えて構成され、制御部１９からの制御に基づいて、ＤＶＤ１１ａから読み出されたコンテンツデータに対して所定の信号処理を行う。当該データプロセッサ１２では、例えば、ＡＴＡＰＩ（AT Attachment Packet Interface）方式が採用されている。
具体的には、データプロセッサ１２は、ＤＶＤドライブ部１１から入力されるコンテンツデータに対して波形等価処理を行った後に、Ａ／Ｄ変換を行ってデジタル信号に変換する。その後、８／１６復調を行い、コンテンツデータに付加された誤り訂正符号（ＥＣＣ:Error Correcting Code）に基づく誤り訂正処理を行う。また、当該データプロセッサ１２では、ＤＶＤドライブ部１１から入力されるコンテンツデータが一旦バッファメモリ１２ａに蓄積され、一定のレートで後段に出力されるように制御される。
【００４２】
デコーダ部１３は、例えば、分離部１３ａと、ビデオデコーダ１３ｂと、オーディオデコーダ１３ｃと、等を備えて構成されている。
分離部１３ａは、データプロセッサ１２から入力されたコンテンツデータを映像データ、音声データ、副映像データ等の複数のデータに分離し、分離した映像データをビデオデコーダ１３ｂに、映像データをオーディオデコーダ１３ｃに出力する。ビデオデコーダ１３ｂは、分離部１３ａにおいて分離された映像データをＭＰＥＧ方式に従ってデコードし、オーディオデコーダ１３ｃは、分離部１３ａにおいて分離された音声データをＭＰＥＧオーディオ方式に従ってデコードする。
【００４３】
出力端子部１５は、映像信号を複数の出力フォーマット形式により出力可能な映像出力端子としてのＤ端子１５ａを備えて構成されている。
本ＤＶＤプレーヤ１００に備わるＤ端子１５ａは、例えば、Ｄ３端子であるものとする。Ｄ３端子は、下位の規格のＤ１端子及びＤ２端子の対応する出力フォーマット形式である４８０ｉ、４８０ｐに加え、１０８０ｉに対応しており、これらの出力フォーマット形式のうち、後述する出力設定プログラム１９３ｂの実行においてＤ端子１５ａの出力フォーマット形式として決定されて、メモリ部１９２の出力設定データ１９２２ａに記憶された出力フォーマット形式で映像信号を出力する。
【００４４】
フォーマット変換部１４は、拡大フィルタ１４ａ、縮小フィルタ１４ｂ、画像メモリ１４ｃ等を備えて構成され、制御部１９による制御に従い、デコーダ部１３から出力される映像信号を所定の出力フォーマット形式に変換して出力端子部１５に出力する。
具体的には、フォーマット変換部１４は、入力される映像信号のフォーマット形式が出力フォーマット形式よりも低解像度の場合、画像メモリ１４ｃに書き込んだ映像信号を読み出す際に、拡大フィルタ１４ａにより拡大することにより、高解像度変換処理を行う。また、フォーマット変換部１４は、入力される映像信号のフォーマット形式が出力フォーマット形式よりも高解像度の場合、画像メモリ１４ｃに書き込む際に、縮小フィルタ１４ｂにより縮小することにより、低解像度変換処理を行う。
【００４５】
具体的には、フォーマット変換部１４は、後述するＤ端子最適化処理において、制御部１９の制御に従い、映像信号のフォーマットを、出力端子部１５に備わる映像出力端子が対応可能な出力フォーマット形式のそれぞれに、順次変換して出力する。
例えば、前述したように、出力端子部１５にＤ３端子が備わっている場合、フォーマット変換部１４では、Ｄ端子最適化処理におけるＣＰＵ１９１の制御に従い、デコーダ部１３から出力される映像信号を、４８０ｉの映像信号、４８０ｐの映像信号、１０８０ｉの映像信号に順次変換し、出力端子部１５に出力する。
【００４６】
また、フォーマット変換部１４は、通常の映像出力処理において、デコーダ部１３から入力される映像信号を、メモリ部１９２の出力設定データ１９２２ａの出力フォーマット形式に変換する。例えば、出力設定データ１９２２ａが１０８０ｉであり、デコーダ部１３からの映像信号のフォーマット形式が４８０ｉである場合には、拡大フィルタ１４ａ及び画像メモリ１４ｃにより高解像度変換処理を行って、出力端子部１５に出力する。
なお、デコーダ部１３から入力される映像信号のフォーマット形式と、出力フォーマット形式が同一の場合にはフォーマット変換部１４におけるフォーマット変換は行わないこととなる。
【００４７】
受信部１６は、リモコン２における送信部２４から、接続ケーブルＣ１により送信される撮像画像データを受信する。
【００４８】
画像解析部１７は、画像メモリ１７１及び画像処理部１７２等を備えて構成され、リモコン２から送信された撮像画像データの色を識別する処理を行う。
具体的には、リモコン２から接続ケーブルＣ１を介して撮像画像データが送信され、当該撮像画像データが受信部１６において受信されると、受信した撮像画像データの色を識別する処理を行う。色の識別結果は、制御部１９に出力されることとなる。
当該画像解析部１７における色識別処理には、ＨＳＬ変換法や、ＲＧＢ減算法等の従来知られている方法が採用され、ここでの説明は省略する。
【００４９】
リモコン信号受光部１８は、リモコン２のキー操作部２１に備わる各種キーがユーザにより押下操作されることにより出力された赤外線等の入力操作信号を受信し、受信した入力操作信号を制御部１９に対して出力する。
【００５０】
制御部１９は、ＣＰＵ１９１、メモリ部１９２、ＲＯＭ１９３等を備えて構成されている。
【００５１】
ＣＰＵ１９１は、装置本体１の各部から入力された入力信号や、リモコン２等のキー操作部２１における各種キーの押下操作によってリモコン信号受光部１８を介して入力された入力操作信号等に応じて、ＲＯＭ１９３に格納された各種プログラムを実行するとともに、実行にかかるプログラムに基づいて装置本体１の各部に出力信号を出力することにより、ＤＶＤプレーヤ１００の動作全般を統括制御する。
【００５２】
メモリ部１９２は、例えば、ＲＡＭ等の揮発性メモリからなるワークエリア１９２１を備えており、ＣＰＵ１９１によって各種プログラムが実行される際に生じる処理結果や、入力されたデータ等をこのワークエリア１９２１に記憶させる。
【００５３】
また、メモリ部１９２は、ＥＰＲＯＭ等の不揮発性メモリからなるデータエリア１９２２を備えている。データエリア１９２２は、例えば、出力設定データ１９２２ａ及び対応色テーブル１９２２ｂを記憶している。
【００５４】
出力設定データ１９２２ａは、通常の映像出力処理において、出力端子部１５から出力する映像信号の出力フォーマット形式の設定であり、後述するＤ端子最適化処理における出力設定プログラム１９３ｄの実行において、テレビジョン受像機２００に画像表示が可能な出力フォーマット形式の中で最も上位の規格であり、Ｄ端子１５ａの出力フォーマット形式とされた出力フォーマット形式を記憶する。
例えば、当該ＤＶＤプレーヤ１００に備わるＤ端子１５ａがＤ３端子である場合には、４８０ｉ（Ｄ１端子の出力フォーマット形式）、４８０ｐ（Ｄ２端子の出力フォーマット形式）、１０８０ｉ（Ｄ３端子の出力フォーマット形式）のうちの何れかの出力フォーマット形式が、Ｄ端子最適化処理においてＤ端子１５ａの出力フォーマット形式と決定されて当該出力設定データ１９２２ａに記憶されることとなり、通常の映像出力処理において、映像信号が、この出力フォーマット形式に変換されてＤ端子１５ａから出力されることとなる。
【００５５】
対応色テーブル１９２２ｂは、出力端子部１５に備わるＤ端子１５ａが対応する各出力フォーマット形式に、それぞれ異なる色を対応付けて記憶する。当該対応色テーブル１９２２ｂにおいて、各出力フォーマット形式に対応付けられた色に基づいて、後述する出力プログラム１９３ａにおいて出力される映像信号の色が定められることとなる。
図５は、対応色テーブル１９２２ｂを例示する図である。出力端子部１５に備わるＤ端子１５ａがＤ３端子である場合には、例えば、図５に示すように、Ｄ１端子の出力フォーマット形式に「青」、Ｄ２端子の出力フォーマット形式に「赤」、Ｄ３端子の出力フォーマット形式に「緑」が対応付けられて記憶される。
【００５６】
ＲＯＭ１９３は、例えば、不揮発性メモリからなるプログラム格納エリアを有しており、具体的には、出力プログラム１９３ａ、画像取得プログラム１９３ｂ、判別プログラム１９３ｃ、出力設定プログラム１９３ｄ等を格納している。
【００５７】
出力プログラム１９３ａは、例えば、ＣＰＵ１９１に、Ｄ端子１５ａから出力する映像信号の出力フォーマット形式を順に切り替えて、切り替えた出力フォーマット形式毎に予め設定されたそれぞれ異なる色の映像信号をテレビジョン受像機２００に出力する機能を実現させるためのプログラムである。
具体的には、ＣＰＵ１９１は、所定のタイミングでＤ端子最適化処理を開始すると、初めに、出力端子部１５に備わるＤ端子１５ａが対応する出力フォーマット形式のうち、最も下位の規格の出力フォーマット形式で、当該出力フォーマット形式に対応付けられた色の映像信号を、出力端子部１５からＤ端子ケーブルＤ１を介してテレビジョン受像機２００に送信する。
さらに、テレビジョン受像機２００に出力した映像信号に基づいて、後述する判別プログラム１９３ｃの実行により、当該映像信号の出力フォーマット形式により正しく画像表示が行われると判別された場合には、次に上位の規格の出力フォーマット形式で、その出力フォーマット形式に対応付けられた色の映像信号を、出力端子部１５からテレビジョン受像機２００に送信する。
ＣＰＵ１９１は、このような処理を、判別プログラム１９３ｃの実行においてテレビジョン受像機２００側で、出力した出力フォーマット形式に対応する画像表示が行われないと判別されるまで、Ｄ端子１５ａの出力フォーマット形式を下位の規格から順に切り替えながら実行する。
ＣＰＵ１９１は、かかる出力プログラム１９３ａを実行することにより、出力手段として機能する。
【００５８】
なお、ＤＶＤプレーヤ１００においてＤ端子最適化処理が開始されるタイミングは、例えば、Ｄ端子ケーブルＤ１が出力端子部１５に挿入されたことが検出された場合や、工場出荷後・設定初期化後における初起動時、テレビジョン受像機２００の表示部３８に表示されたメニュー画面等において、リモコン２のキー操作部２１おけるキー操作により「Ｄ端子最適化」等のメニュー表示が選択された場合等である。
【００５９】
画像取得プログラム１９３ｂは、例えば、ＣＰＵ１９１に、リモコン２における送信プログラム２５３ｂの実行により送信された撮像画像データを取得する機能を実現させるためのプログラムである。
具体的には、ＣＰＵ１９１は、Ｄ端子最適化処理において、リモコン２における送信部２４から、接続ケーブルＣ１を介して、撮像画像データが所定の間隔で送信されると、当該撮像画像データを受信部１６において受信する。
ＣＰＵ１９１は、かかる画像取得プログラム１９３ｂを実行することにより、受信部１６とともに画像取得手段として機能する。
【００６０】
判別プログラム１９３ｃは、例えば、ＣＰＵ１９１に、画像取得プログラム１９３ｂの実行により取得された撮像画像データの各々に基づいて、各撮像画像データの画像が、当該画像の映像信号を出力した出力フォーマット形式に対応する画像であるか否かを、撮像画像データの色に基づいて判別する機能を実現させるためのプログラムである。
具体的には、ＣＰＵ１９１は、画像取得プログラム１９３ｂの実行により、リモコン２から送信された撮像画像データが受信部１６において受信されると、画像解析部１７において、当該撮像画像データの色を識別する。そして、識別された撮像画像データの色が、出力プログラム１９３ａの実行においてテレビジョン受像機２００に送信した映像信号の出力フォーマット形式に対応付けられた色であるか否かを判断する。ＣＰＵ１９１は、撮像画像データの色が、テレビジョン受像機２００に映像信号を出力した際の出力フォーマット形式に対応付けられた色である場合には、当該撮像画像データの映像信号を出力した際の出力フォーマット形式に対応する画像であると判別するとともに、テレビジョン受像機２００に映像信号を出力した際の出力フォーマット形式に対応付けられた色でない場合には、当該撮像画像データの映像信号を出力した際の出力フォーマット形式に対応する画像でないと判別する。
ＣＰＵ１９１は、かかる判別プログラム１９３ｃを実行することにより、判別手段として機能する。
【００６１】
出力設定プログラム１９３ｄは、例えば、ＣＰＵ１９１に、判別プログラム１９３ｃの実行による判別結果に基づいて、画像の映像信号を出力した出力フォーマット形式に対応する画像であると判別された出力フォーマット形式のうち、最も上位の規格の出力フォーマット形式を、Ｄ端子１５ａの出力フォーマット形式として設定する機能を実現させるためのプログラムである。
具体的には、ＣＰＵ１９１は、判別プログラム１９３ｃの実行において、リモコン２から送信された撮像画像データの画像が、テレビジョン受像機２００に出力した出力フォーマット形式に対応する画像でないと判別され、出力プログラム１９３ａの実行が終了すると、その時点までに、テレビジョン受像機２００に出力した出力フォーマット形式に対応する画像であると判別された出力フォーマット形式のうち、最も上位の規格の出力フォーマット形式を、メモリ部１９２の出力設定データ１９２２ａにＤ端子１５ａの出力フォーマット形式として記憶させる。
また、ＣＰＵ１９１は、Ｄ端子１５ａの出力フォーマット形式を設定すると、接続ケーブルＣ１を介してリモコン２に制御信号を送信し、撮像部２３による撮像と、送信部２４による撮像画像データの送信を停止させる。
ＣＰＵ１９１は、かかる出力設定プログラム１９３ｄを実行することにより、出力設定手段として機能する。
【００６２】
ここで、リモコン２のＣＰＵ２５１による撮像プログラム２５３ａ、送信プログラム２５３ｂの実行及び装置本体１のＣＰＵ１９１による出力プログラム１９３ａ、画像取得プログラム１９３ｂ、判別プログラム１９３ｃ、出力設定プログラム１９３ｄの実行により行われるＤ端子最適化処理について、具体的に説明する。
上述した所定のタイミングでＤ端子最適化処理が開始されるとともに、リモコン２のキー操作部２１に備わる接続調整ボタン２１ａが押下されて撮像部２３における撮像が開始されると、装置本体１のＣＰＵ１９１は、まず初めに、出力端子部１５に備わるＤ端子１５ａが対応する出力フォーマット形式のうち、最も下位の規格であるＤ１端子の出力フォーマット形式（すなわち、４８０ｉ）で、当該出力フォーマット形式に対応付けられた色（例えば、青）の映像信号を、当該Ｄ端子１５ａからＤ端子ケーブルＤ１を介してテレビジョン受像機２００に送信する。そして、当該映像信号がテレビジョン受像機２００のＤ端子３３ａにより受信されると、Ｄ１端子の出力フォーマット形式で青の画像が表示部３８に表示されることとなる。
そして、リモコン２のＣＰＵ２５１は、撮像部２３により、テレビジョン受像機２００の表示部３８に表示された画像を撮像させ、撮像された画像の撮像画像データを送信部２４により装置本体１に送信する。装置本体１のＣＰＵ１９１は、リモコン２から送信された撮像画像データを受信部１６において受信すると、画像解析部１７において、当該撮像画像データの色を識別し、テレビジョン受像機２００に出力した際の出力フォーマット形式での画像か否かを、識別した色に基づいて判別する。撮像画像データの色がＤ１端子の出力フォーマット形式に対応付けられた色（例えば、青）である場合には、ＣＰＵ１９１は、テレビジョン受像機２００が当該Ｄ１端子の出力フォーマット形式で画像表示できると判別する。
【００６３】
次に、ＣＰＵ１９１は、Ｄ端子１５ａが対応する出力フォーマット形式のうち、次に上位の規格であるＤ２端子の出力フォーマット形式（すなわち、４８０ｐ）で、当該出力フォーマット形式に対応付けられた色（例えば、赤）の映像信号を、当該Ｄ端子１５ａからＤ端子ケーブルＤ１を介してテレビジョン受像機２００に送信する。そして、当該映像信号がテレビジョン受像機２００のＤ端子３３ａにより受信され、テレビジョン受像機２００がＤ２端子の出力フォーマット形式に対応している場合には、Ｄ２端子の出力フォーマット形式で、赤の画像が表示部３８に表示されることとなる。一方、テレビジョン受像機２００がＤ２端子の出力フォーマット形式に対応していない場合には、表示部３８に赤の画像は表示されないこととなる。
そして、リモコン２のＣＰＵ２５１は、撮像部２３により、テレビジョン受像機２００の表示部３８に表示された画像を撮像させ、撮像された画像の撮像画像データを送信部２４により装置本体１に送信する。装置本体１のＣＰＵ１９１は、リモコン２から送信された撮像画像データを受信部１６において受信すると、画像解析部１７において、当該撮像画像データの色を識別し、テレビジョン受像機２００に出力した際の出力フォーマット形式での画像か否かを、識別した色に基づいて判別する。撮像画像データの色がＤ２端子の出力フォーマット形式に対応付けられた色（例えば、赤）である場合には、ＣＰＵ１９１は、テレビジョン受像機２００が当該Ｄ２端子の出力フォーマット形式で画像表示できると判別する。一方、撮像画像データの色がＤ２端子の出力フォーマット形式に対応付けられた色（例えば、赤）でない場合には、ＣＰＵ１９１は、テレビジョン受像機２００が当該Ｄ２端子の出力フォーマット形式で画像表示できないと判別する。
【００６４】
装置本体１のＣＰＵ１９１及びリモコン２のＣＰＵ２５１は、上述したこのような処理を、下位の規格から順に出力フォーマット形式を切り替えながら繰り返し行うとともに、リモコン２から送信された撮像画像データの画像が、当該画像の映像信号出力時の出力フォーマット形式で表示される画像でないと判別した時点で、処理を終了する。
そして、出力した出力フォーマット形式で表示される画像でないと判別して処理を終了すると、ＣＰＵ１９１は、その時点までに画像表示できると判別された出力フォーマット形式のうち、最も上位の規格の出力フォーマット形式を、メモリ部１９２の出力設定データ１９２２ａに記憶させることにより、Ｄ端子１５ａの出力フォーマット形式として設定する。
【００６５】
例えば、装置本体１からテレビジョン受像機２００にＤ２端子の出力フォーマット形式で、当該Ｄ２端子に対応付けられた赤の映像信号を出力した場合に、テレビジョン受像機２００が対応する出力フォーマット形式がＤ１端子であると、Ｄ２端子の出力フォーマット形式に対応付けられた赤の画像が表示部３８に表示されないため、ＣＰＵ１９１は、Ｄ２端子の出力フォーマット形式で正しく画像表示できないと判別する。そして、それまでに画像表示可能と判別されたＤ１端子を、Ｄ端子１５ａの出力フォーマット形式として設定する。
また、例えば、装置本体１からテレビジョン受像機２００にＤ３端子の出力フォーマット形式で、当該Ｄ３端子に対応付けられた緑の映像信号を出力した場合に、テレビジョン受像機２００が対応する出力フォーマット形式がＤ２端子であると、Ｄ３端子の出力フォーマット形式に対応付けられた緑の画像が表示部３８に表示されないため、ＣＰＵ１９１は、Ｄ３端子の出力フォーマット形式で正しく画像表示できないと判別する。そして、それまでに画像表示可能であると判別されたＤ１端子及びＤ２端子の出力フォーマット形式のうち、最も上位の出力フォーマット形式であるＤ２端子を、Ｄ端子１５ａの出力フォーマット形式として設定する。
【００６６】
次に、図６及び図７のフローチャートを参照しながら、実施形態１において行われるＤ端子最適化処理について説明する。
【００６７】
まず初めに、装置本体１のＣＰＵ１９１は、ステップＳ１において、Ｄ端子ケーブルＤ１が挿入されたことの検出時や、初期化後における初起動時等の所定のタイミングで、Ｄ端子最適化処理を開始する。ステップＳ２において、ＣＰＵ１９１は、出力端子部１５のＤ端子１５ａから、Ｄ１端子の出力フォーマット形式（すなわち、４８０ｉ）により、当該出力フォーマット形式に対応づけられた色（例えば、青）の映像信号を、Ｄ端子ケーブルＤ１によりテレビジョン受像機２００に送信する。当該映像信号がテレビジョン受像機２００において受信されて所定の映像表示処理が行われると、ステップＳ３において、表示部３８に全面青の画像と、「Ｄ端子最適化処理を実行する場合には、接続調整ボタン２１ａを押して、リモコン２のカメラをＴＶ画面に向けてください」等の文字が表示される。
ステップＳ４において、リモコン２のＣＰＵ２５１は、キー操作部２１において接続調整ボタン２１ａが押下されたか否かを判断する。ユーザにより、接続調整ボタン２１ａが押下され、当該ボタンに対応する入力操作信号がＣＰＵ２５１に対して出力されると、ステップＳ５において、ＣＰＵ２５１は、撮像部２３における撮像を開始するとともに、撮像部２３において撮像された画像の撮像画像データを、所定の間隔（例えば、１秒間隔）で、送信部２４により装置本体１に送信する処理を開始する。
ステップＳ６において、装置本体のＣＰＵ１９１は、リモコン２から送信された撮像画像データを受信部１６において受信する。そして、ステップＳ７において、受信した撮像画像データの色を画像解析部１７において識別し、当該撮像画像データの色が、Ｄ１端子の出力フォーマット形式に対応づけられた色（例えば、青）であるか否かを判断する。ＣＰＵ１９１は、ステップＳ７において、撮像画像データの色がＤ１端子の出力フォーマット形式に対応付けられた色でないと判断すると（ステップＳ７；Ｎｏ）、ステップＳ８において、所定時間が経過したか否かを判断する。そして、ＣＰＵ１９１は、所定時間が経過したと判断すると（ステップＳ８；Ｙｅｓ）、エラーであるとして本処理を終了し、所定時間が経過していないと判断すると（ステップＳ８；Ｎｏ）、ステップＳ６に戻って以上の処理を繰り返す。一方、ＣＰＵ１９１は、ステップＳ７において、撮像画像データの色がＤ１端子の出力フォーマット形式に対応付けられた色であると判断すると（ステップＳ７；Ｙｅｓ）、ステップＳ９に進む。
【００６８】
ステップＳ９において、ＣＰＵ１９１は、出力端子部１５のＤ端子１５ａから、Ｄ２端子の出力フォーマット形式（すなわち、４８０ｐ）により、当該出力フォーマット形式に対応づけられた色（例えば、赤）の映像信号を、Ｄ端子ケーブルＤ１によりテレビジョン受像機２００に送信する。当該映像信号がテレビジョン受像機２００において受信されて所定の映像表示処理が行われると、ステップＳ１０において、表示部３８に全面赤の画像と、「リモコン２のカメラをＴＶ画面に向けてください」等の文字が表示される。
ステップＳ１１において、ＣＰＵ１９１は、リモコン２から送信された撮像画像データを受信部１６において受信する。そして、ステップＳ１２において、受信した撮像画像データの色を画像解析部１７において識別し、当該撮像画像データの色が、Ｄ２端子の出力フォーマット形式に対応づけられた色（例えば、赤）であるか否かを判断する。ＣＰＵ１９１は、ステップＳ１２において、撮像画像データの色がＤ２端子の出力フォーマット形式に対応付けられた色でないと判断すると（ステップＳ１２；Ｎｏ）、ステップＳ１３において所定時間が経過したか否かを判断し、所定時間が経過したと判断すると（ステップＳ１３；Ｙｅｓ）、ステップＳ１４において、Ｄ１端子の出力フォーマット形式を、Ｄ端子１５ａの出力フォーマット形式として設定し、メモリ部１９２の出力設定データ１９２２ａに記憶させ、所定時間が経過していないと判断すると（ステップＳ１３；Ｙｅｓ）、ステップＳ１１に戻って以上の処理を繰り返す。一方、ステップＳ１２において、ＣＰＵ１９１は、撮像画像データの色がＤ２端子の出力フォーマット形式に対応付けられた色であると判断すると（ステップＳ１２；Ｙｅｓ）、ステップＳ１５に進む。
【００６９】
ステップＳ１５において、ＣＰＵ１９１は、出力端子部１５のＤ端子１５ａから、Ｄ３端子の出力フォーマット形式（すなわち、１０８０ｉ）により、当該出力フォーマット形式に対応づけられた色（例えば、緑）の映像信号を、Ｄ端子ケーブルＤ１によりテレビジョン受像機２００に送信する。当該映像信号がテレビジョン受像機２００において受信されて所定の映像表示処理が行われると、ステップＳ１６において、表示部３８に全面緑の画像と、「リモコン２のカメラをＴＶ画面に向けてください」等の文字が表示される。
ステップＳ１７において、ＣＰＵ１９１は、リモコン２から送信された撮像画像データを受信部１６において受信する。そして、ステップＳ１８において、受信した撮像画像データの色を画像解析部１７において識別し、当該撮像画像データの色が、Ｄ３端子の出力フォーマット形式に対応づけられた色（例えば、緑）であるか否かを判断する。ＣＰＵ１９１は、ステップＳ１８において、撮像画像データの色がＤ３端子の出力フォーマット形式に対応付けられた色でないと判断すると（ステップＳ１８；Ｎｏ）、ステップＳ１９において所定時間が経過したか否かを判断し、所定時間が経過したと判断すると（ステップＳ１９；Ｙｅｓ）、ステップＳ２０において、Ｄ２端子の出力フォーマット形式を、Ｄ端子１５ａの出力フォーマット形式として設定し、メモリ部１９２の出力設定データ１９２２ａに記憶させ、所定時間が経過していないと判断すると（ステップＳ１９；Ｎｏ）、ステップＳ１７に戻って以上の処理を繰り返す。一方、ＣＰＵ１９１は、ステップＳ１８において、撮像画像データの色がＤ２端子の出力フォーマット形式に対応付けられた色であると判断すると（ステップＳ１８；Ｙｅｓ）、ステップＳ２１において、Ｄ３端子の出力フォーマット形式を、Ｄ端子１５ａの出力フォーマット形式として設定し、メモリ部１９２の出力設定データ１９２２ａに記憶させる。さらに、ステップＳ２２において、装置本体１からの制御信号に基づいて、リモコン２における撮像部２３による撮像と、送信部２４による撮像画像データの送信が停止され、本処理が終了する。
【００７０】
以上説明した実施形態１におけるＤＶＤプレーヤ１００によれば、装置本体１において、映像信号を複数の出力フォーマット形式で出力可能なＤ端子１５ａが備わるとともに、ＣＰＵ１９１による出力プログラム１９３ａの実行により、Ｄ端子１５ａから出力する映像信号の出力フォーマット形式が順に切り替えられて、切り替えられた出力フォーマット形式毎に予め設定されたそれぞれ異なる色の映像信号がテレビジョン受像機２００に出力される。また、リモコン２において、ＣＰＵ２５１による撮像プログラム２５３ａの実行により、出力プログラム１９３ａにより出力される映像信号の出力フォーマット形式が切り替わる度に、表示部３８に表示される画像が撮像され、送信プログラム２５３ｂの実行により、撮像部２３により撮像された画像の撮像画像データが、接続ケーブルＣ１により装置本体１に送信される。そして、装置本体１において、ＣＰＵ１９１による画像取得プログラム１９３ｂの実行により、送信プログラム２５３ｂにより送信された撮像画像データが取得され、判別プログラム１９３ｃの実行により、画像取得プログラム１９３ｂにより取得された撮像画像データの各々に基づいて、各撮像画像データの画像が、当該画像の映像信号を出力した出力フォーマット形式に対応する画像であるか否かが、撮像画像データの色に基づいて判別され、出力設定プログラム１９３ｄの実行により、判別プログラム１９３ｃによる判別結果に基づいて、画像の映像信号を出力した出力フォーマット形式に対応する画像であると判別された出力フォーマット形式のうち、最も上位の規格の出力フォーマット形式が、Ｄ端子１５ａの出力フォーマット形式として設定される。
したがって、ＤＶＤプレーヤ１００側で、各出力フォーマット形式に対応する画像が表示されているかが判別され、その判別結果に基づいてテレビジョン受像機２００が画像表示できる出力フォーマット形式のうち、最も上位の規格の出力フォーマット形式が自動的に設定されることとなるので、ユーザに負担をかけることなく、テレビジョン受像機２００に合った最適な映像出力端子を設定することができるＤＶＤプレーヤ１００を提供することができる。また、各出力フォーマット形式に対応する画像が表示されているか否かの判別が、撮像画像データの色により行われるので、判別が容易且つ確実に行われることとなる。また、リモコン２はＤＶＤプレーヤ１００と接続ケーブルＣ１により接続されているので、リモコン２からのデータを確実にＤＶＤプレーヤ１００に入力することができる。
【００７１】
（実施形態２）
次に、本発明を適用した実施形態２を、図８〜図１３を参照しながら詳細に説明する。
なお、以下の説明において、実施形態１と同一部分には同じ符号を付し、説明を省略することとする。
【００７２】
本実施形態２が、前述した実施形態１と異なる点は、Ｄ端子最適化処理において、ＤＶＤプレーヤ３００からテレビジョン受像機２００に対して、Ｄ端子４５ａが対応するそれぞれの出力フォーマット形式により映像信号を出力する際に、出力フォーマット形式毎に異なる周期で点滅する映像信号を送信するようにし、テレビジョン受像機２００側で表示される画像における点滅の周期に基づいて、テレビジョン受像機２００が対応する出力フォーマット形式を判断するように構成されている点である。
【００７３】
まず、本実施形態２におけるＤＶＤプレーヤ３００及びテレビジョン受像機２００の全体構成について説明する。図８は、実施形態２におけるＤＶＤプレーヤ３００及びテレビジョン受像機２００の全体構成を例示する図である。
図８に示すように、実施形態２におけるＤＶＤプレーヤ３００は、テレビジョン受像機２００と接続されており、ＤＶＤ１１ａを再生して再生された映像データ等の各種データをテレビジョン受像機２００に出力し、テレビジョン受像機２００に映像を表示させる。
【００７４】
（ＤＶＤプレーヤの構成）
次に、ＤＶＤプレーヤ３００の要部構成について説明する。
ＤＶＤプレーヤ３００は、ＤＶＤ１１ａに記録された映像データ等の各種データを再生し、再生された映像データ等のデータを、テレビジョン受像機２００にケーブルを介して出力する装置本体４と、当該装置本体４を遠隔操作するためのリモコン５と、を備えて構成され、Ｄ端子ケーブルＤ２によりテレビジョン受像機２００と接続されている。
図９は、実施形態２におけるリモコン５の要部構成を例示するブロック図である。また、図１０は、実施形態２における装置本体４の要部構成を例示するブロック図である。
【００７５】
まず、リモコン５の構成について説明する。
リモコン５は、例えば、図８及び図９に示すように、キー操作部２１と、発光部２２と、受光手段としての受光部５３と、送信部２４と、制御部５５と、等を備えて構成され、キー操作部２１におけるキー操作に基づいて装置本体４を遠隔操作するとともに、受光部５３により受光された光に基づく電気信号（後述）を、接続ケーブルＣ２を介して装置本体４に対して入力する。
【００７６】
キー操作部２１は、例えば、ユーザが各種指示を入力するための複数のキーを備えており、ユーザによりキーの押下操作がなされると、押下されたキーに対応する赤外線等の入力操作信号が赤外線ＬＥＤ等の発光部２２から出力される。
具体的には、キー操作部２１は、接続調整ボタン５１ａを備えて構成される。この接続調整ボタン５１ａが、Ｄ端子最適化処理においてユーザにより押下されると、後述する受光プログラム５５３ａ及び送信プログラム５５３ｂの実行が開始されることとなる。より具体的には、例えば、Ｄ端子最適化処理が開始されると、初めに、テレビジョン受像機２００の表示画面に「Ｄ端子最適化処理を実行する場合はリモコン５の接続調整ボタン５１ａを押して、リモコン５をＴＶ画面に向けてください」等の表示が行われる。この表示に基づいて、ユーザにより接続調整ボタン５１ａが押下されると、受光部５３により受光された電気信号が送信部２４に出力され、送信部２４からの当該電気信号の送信が開始されることとなる。
【００７７】
受光部５３は、例えば、フォトトランジスタ等を備えて構成され、受光した光に基づいて光電変換を行って、電気信号を出力する。
【００７８】
制御部５５は、ＣＰＵ５５１、メモリ部２５２、ＲＯＭ５５３等を備えて構成されている。
【００７９】
ＣＰＵ５５１は、リモコン５の各部から入力された入力信号や、キー操作部２１における各種キーの押下操作に基づく入力操作信号等に応じて、ＲＯＭ５５３に格納された各種プログラムを実行するとともに、実行にかかるプログラムに基づいてリモコン５の各部に出力信号を出力することにより、リモコン５の動作全般を統括制御する。
【００８０】
ＲＯＭ５５３は、例えば、不揮発性メモリからなるプログラム格納エリアを有しており、具体的には、受光プログラム５５３ａ、送信プログラム５５３ｂ等を格納している。
【００８１】
受光プログラム５５３ａは、例えば、ＣＰＵ５５１に、受光した光にもとづいて光電変換を行い、電気信号を出力する機能を実現させるためのプログラムである。
具体的には、ＤＶＤプレーヤ３００の装置本体４においてＤ端子最適化処理が開始され、表示部３８の表示に基づいて、ユーザによりキー操作部２１における接続調整ボタン５１ａが押下操作されて、当該押下操作に基づく入力操作信号が制御部５５に出力されると、ＣＰＵ５５１は、受光部５３において、受光される光に基づいて出力される電気信号を、送信部２４に出力させる。
ＣＰＵ５５１は、かかる受光プログラム５５３ａを実行することにより、受光部５３とともに受光手段として機能する。
【００８２】
送信プログラム５５３ｂは、例えば、ＣＰＵ５５１に、受光部５３から出力される電気信号を、接続ケーブルＣ２により装置本体４に送信する機能を実現させるためのプログラムである。
具体的には、ＣＰＵ５５１は、受光プログラム５５３ａの実行により、受光部５３において受光された光に基づく電気信号が送信部２４に出力されると、この電気信号を、接続ケーブルＣ２を介して装置本体４に送信する。
【００８３】
次に、装置本体４の構成について説明する。
装置本体４は、図８及び図１０に示すように、ＤＶＤ１１ａに記録されたコンテンツデータの再生を行うＤＶＤドライブ部１１と、ＤＶＤドライブ部１１から取り込んだコンテンツデータを各部に出力するデータプロセッサ１２と、ＤＶＤドライブ部１１から出力されたコンテンツデータに所定のデコード処理を行うデコーダ部１３と、デコーダ部１３から出力される映像データに対して、所定のフォーマット変換処理を行うフォーマット変換部１４と、映像出力端子を備える出力端子部４５と、リモコン５から送信される電気信号を受信する受信部４６と、受信部４６において受信される電気信号に対して所定の信号解析を行う信号解析部４７と、リモコン５からの入力操作信号を受光するリモコン信号受光部１８と、装置本体４の各部を制御する制御部４９と等を備えて構成されている。
【００８４】
出力端子部４５は、映像信号を複数の出力フォーマット形式により出力可能な映像出力端子としてのＤ端子４５ａを備えて構成されている。
本ＤＶＤプレーヤ３００に備わるＤ端子４５ａは、例えば、Ｄ４端子であるものとする。Ｄ４端子は、下位の規格のＤ１〜Ｄ３端子が対応する出力フォーマット形式である４８０ｉ、４８０ｐ、１０８０ｉに加え、７２０ｐに対応しており、これらの出力フォーマット形式のうち、後述するメモリ部２５２の出力設定データ１９２２ａに設定された出力フォーマット形式で映像信号を出力する。
【００８５】
受信部４６は、リモコン５における送信部２４から、接続ケーブルＣ２により送信される電気信号を受信する。
【００８６】
信号解析部４７は、リモコン５から送信された電気信号の点滅の周期を検出する処理を行う。
具体的には、リモコン５から電気信号が接続ケーブルＣ２を介して送信され、当該電気信号が受信部４６において受信されると、受信した電気信号の点滅の周期を検出して、検出結果を制御部４９に出力する。
【００８７】
制御部４９は、ＣＰＵ４９１、メモリ部１９２、ＲＯＭ４９３等を備えて構成されている。
【００８８】
ＣＰＵ４９１は、装置本体４の各部から入力された入力信号や、リモコン５等のキー操作部２１における各種キーの押下操作によってリモコン信号受光部１８を介して入力された入力操作信号等に応じて、ＲＯＭ４９３に格納された各種プログラムを実行するとともに、実行にかかるプログラムに基づいて装置本体４の各部に出力信号を出力することにより、ＤＶＤプレーヤ３００の動作全般を統括制御する。
【００８９】
また、メモリ部１９２は、ＥＰＲＯＭ等の不揮発性メモリからなるデータエリア４９２２を備えている。データエリア４９２２は、例えば、出力設定データ１９２２ａ及び点滅周期テーブル４９２２ａを記憶している。
【００９０】
点滅周期テーブル４９２２ａは、出力端子部４５に備わるＤ端子４５ａが対応する各出力フォーマット形式に、それぞれ異なる点滅の周期を対応付けて記憶する。当該点滅周期テーブル４９２２ａにおいて、各出力フォーマット形式に対応付けられた点滅の周期に基づいて、後述する出力プログラム４９３ａにおいて出力される映像信号の点滅の周期が定められることとなる。
図１１は、点滅周期テーブル４９２２ａを例示する図である。出力端子部４５に備わるＤ端子４５ａがＤ４端子である場合には、例えば、図１１に示すように、Ｄ１端子の出力フォーマット形式に「０．５秒周期」、Ｄ２端子の出力フォーマット形式に「１．０秒周期」、Ｄ３端子の出力フォーマット形式に「１．５秒周期」、Ｄ４端子の出力フォーマット形式に「２．０秒周期」が対応付けられて記憶される。
【００９１】
ＲＯＭ４９３は、例えば、不揮発性メモリからなるプログラム格納エリアを有しており、具体的には、出力プログラム４９３ａ、取得プログラム４９３ｂ、判別プログラム４９３ｃ、出力設定プログラム４９３ｄ等を格納している。
【００９２】
出力プログラム４９３ａは、例えば、ＣＰＵ４９１に、Ｄ端子４５ａから出力する映像信号の出力フォーマット形式を順に切り替えて、切り替えた出力フォーマット形式毎に予め設定されたそれぞれ異なる周期で点滅する映像信号を、テレビジョン受像機２００に出力する機能を実現させるためのプログラムである。
具体的には、ＣＰＵ４９１は、所定のタイミングでＤ端子最適化処理を開始すると、初めに、出力端子部４５に備わるＤ端子４５ａが対応する出力フォーマット形式のうち、最も下位の規格の出力フォーマット形式で、当該出力フォーマット形式に対応付けられた周期で点滅する映像信号を、出力端子部４５からＤ端子ケーブルＤ２を介してテレビジョン受像機２００に送信する。
さらに、テレビジョン受像機２００に出力した映像信号に基づいて、後述する判別プログラム４９３ｃの実行により、当該映像信号の出力フォーマット形式により画像表示されていると判別された場合には、次に上位の規格の出力フォーマット形式で、その出力フォーマット形式に対応付けられた周期で点滅する映像信号を、出力端子部４５からテレビジョン受像機２００に送信する。
ＣＰＵ４９１は、このような処理を、判別プログラム４９３ｃの実行においてテレビジョン受像機２００側で正しく画像表示が行われないと判別されるまで、Ｄ端子４５ａの出力フォーマット形式を下位の規格から順に切り替えながら実行する。
ＣＰＵ４９１は、かかる出力プログラム４９３ａを実行することにより、出力手段として機能する。
【００９３】
取得プログラム４９３ｂは、例えば、ＣＰＵ４９１に、出力プログラム４９３ａの実行により出力される映像信号の出力フォーマット形式が切り替わる度に、リモコン５における受光プログラム５５３ａの実行により出力された電気信号を取得する機能を実現させるためのプログラムである。
具体的には、ＣＰＵ４９１は、Ｄ端子最適化処理において、リモコン５における送信部２４から、接続ケーブルＣ２を介して電気信号が送信されると、当該電気信号を受信部４６において受信する。
ＣＰＵ４９１は、かかる取得プログラム４９３ｂを実行することにより、受信部４６とともに取得手段として機能する。
【００９４】
判別プログラム４９３ｃは、例えば、ＣＰＵ４９１に、取得プログラム４９３ｂの実行により取得された電気信号に基づく映像信号の点滅の周期の各々が、当該映像信号を出力した出力フォーマット形式に対応する点滅の周期であるか否かを判別する機能を実現させるためのプログラムである。
具体的には、ＣＰＵ４９１は、取得プログラム４９３ｂの実行により、リモコン５から送信された電気信号が受信部４６において受信されると、信号解析部４７において、当該電気信号の点滅の周期を検出する。そして、検出された点滅の周期が、出力プログラム４９３ａの実行においてテレビジョン受像機２００に送信した映像信号の出力フォーマット形式に対応付けられた周期であるか否かを判別する。ＣＰＵ４９１は、点滅の周期が、テレビジョン受像機２００に映像信号を出力した際の出力フォーマット形式に対応付けられた点滅の周期であると判別した場合には、当該映像信号を出力した際の出力フォーマット形式により画像表示されていると判別するとともに、テレビジョン受像機２００に映像信号を出力した際の出力フォーマット形式に対応付けられた点滅の周期でないと判別した場合には、当該映像信号を出力した際の出力フォーマット形式により画像表示されていないと判別する。
ＣＰＵ４９１は、かかる判別プログラム４９３ｃを実行することにより、判別手段として機能する。
【００９５】
出力設定プログラム４９３ｄは、例えば、ＣＰＵ４９１に、判別プログラム４９３ｃによる判別結果に基づいて、映像信号を出力した出力フォーマット形式に対応する点滅の周期であると判別された出力フォーマット形式のうち、最も上位の規格の出力フォーマット形式を、Ｄ端子４５ａの出力フォーマット形式として設定する機能を実現させるためのプログラムである。
具体的には、ＣＰＵ４９１は、判別プログラム４９３ｃの実行において、点滅の周期が、テレビジョン受像機２００に映像信号を出力した際の出力フォーマット形式に対応付けられた点滅の周期でないと判別し、出力プログラム４９３ａの実行を終了すると、その時点までに、点滅の周期が、テレビジョン受像機２００に映像信号を出力した際の出力フォーマット形式に対応付けられた点滅の周期であると判別した出力フォーマット形式のうち、最も上位の規格の出力フォーマット形式を、メモリ部１９２の出力設定データ１９２２ａにＤ端子４５ａの出力フォーマット形式として記憶させる。
ＣＰＵ４９１は、かかる出力設定プログラム４９３ｄを実行することにより、出力設定手段として機能する。
【００９６】
ここで、リモコン５のＣＰＵ５５１による受光プログラム５５３ａ、送信プログラム５５３ｂの実行及び装置本体４のＣＰＵ４９１による出力プログラム４９３ａ、取得プログラム４９３ｂ、判別プログラム４９３ｃ、出力設定プログラム４９３ｄの実行により行われるＤ端子最適化処理について、具体的に説明する。
上述した所定のタイミングでＤ端子最適化処理が開始されるとともに、リモコン５のキー操作部２１に備わる接続調整ボタン５１ａが押下され、受光部５３において受光された光に基づく電気信号の出力が開始されると、装置本体４のＣＰＵ４９１は、まず初めに、出力端子部４５に備わるＤ端子４５ａが対応する出力フォーマット形式のうち、最も下位の規格であるＤ１端子の出力フォーマット形式（すなわち、４８０ｉ）で、当該出力フォーマット形式に対応付けられた周期（例えば、０．５秒間隔）で点滅する映像信号を、当該Ｄ端子４５ａからＤ端子ケーブルＤ２を介してテレビジョン受像機２００に送信する。そして、当該映像信号がテレビジョン受像機２００のＤ端子３３ａにより受信されると、Ｄ１端子の出力フォーマット形式で、０．５秒間隔で点滅する画像が表示部３８に表示されることとなる。
そして、リモコン５のＣＰＵ５５１は、受光部５３により、テレビジョン受像機２００の表示部３８に表示された画像の光を受光させて電気信号として出力させ、この電気信号を送信部２４により装置本体４に送信する。装置本体４のＣＰＵ４９１は、リモコン５から送信された電気信号を受信部４６において受信すると、信号解析部４７において、当該電気信号の点滅の周期を検出し、テレビジョン受像機２００に出力した出力フォーマット形式での点滅の周期であるか否かを判別する。ＣＰＵ４９１は、電気信号の点滅の周期がＤ１端子の出力フォーマット形式に対応付けられた周期（例えば、０．５秒間隔）であると判別すると、当該Ｄ１端子の出力フォーマット形式で画像表示できるとする。
【００９７】
次に、ＣＰＵ４９１は、Ｄ端子４５ａが対応する出力フォーマット形式のうち、次に上位の規格であるＤ２端子の出力フォーマット形式（すなわち、４８０ｐ）で、当該出力フォーマット形式に対応付けられた点滅の周期（例えば、１．０秒間隔）の映像信号を、当該Ｄ端子４５ａからＤ端子ケーブルＤ２を介してテレビジョン受像機２００に送信し、その後、上述した同様の処理を行う。
装置本体４のＣＰＵ４９１及びリモコン５のＣＰＵ５５１は、上述したこのような処理を、下位の規格から順に出力フォーマット形式を切り替えながら繰り返し行うとともに、リモコン５から送信される電気信号に基づく点滅の周期が、映像信号を出力した出力フォーマット形式に対応する点滅の周期でないと判別された時点で処理を終了する。
そして、点滅の周期が、出力した出力フォーマット形式に対応する周期でないと判別して処理を終了すると、ＣＰＵ４９１は、その時点までに、点滅の周期が映像信号出力時の出力フォーマット形式に対応する周期であると判別され、画像表示できると判別された出力フォーマット形式のうち、最も上位の規格の出力フォーマット形式を、メモリ部１９２の出力設定データ１９２２ａに記憶させることにより、Ｄ端子４５ａの出力フォーマット形式として設定する。
【００９８】
例えば、装置本体４からテレビジョン受像機２００にＤ４端子の出力フォーマット形式で、当該Ｄ４端子に対応付けられた２．０秒間隔で点滅する映像信号を出力した場合に、テレビジョン受像機２００が対応する出力フォーマット形式がＤ３端子であると、表示部３８に、Ｄ４端子の出力フォーマット形式に対応付けられた２．０秒間隔で点滅する映像は表示されないため、ＣＰＵ４９１は、Ｄ４端子の出力フォーマット形式で画像表示できないとする。そして、それまでに画像表示できるとされたＤ１〜Ｄ３端子の出力フォーマット形式のうち、最も上位の規格であるＤ３端子の出力フォーマット形式を、Ｄ端子４５ａの出力フォーマット形式として設定する。
【００９９】
次に、図１２及び図１３のフローチャートを参照しながら、実施形態２において行われるＤ端子最適化処理について説明する。  
【０１００】
まず初めに、装置本体４のＣＰＵ４９１は、ステップＳ３１において、所定のタイミングで、Ｄ端子最適化処理を開始する。ステップＳ３２において、ＣＰＵ４９１は、出力端子部４５のＤ端子４５ａから、Ｄ１端子の出力フォーマット形式（すなわち、４８０ｉ）により、当該出力フォーマット形式に対応づけられた周期（例えば、０．５秒）で点滅する映像信号を、Ｄ端子ケーブルＤ２によりテレビジョン受像機２００に送信する。当該映像信号がテレビジョン受像機２００において受信されて所定の映像表示処理が行われると、ステップＳ３３において、表示部３８に０．５秒間隔で点滅する映像と、「Ｄ端子最適化処理を実行する場合には、接続調整ボタン５１ａを押して、リモコン５をＴＶ画面に向けてください」等の文字が表示される。
ステップＳ３４において、リモコン５のＣＰＵ５５１は、キー操作部２１において接続調整ボタン５１ａが押下されたか否かを判断する。ユーザにより、接続調整ボタン５１ａが押下され、当該ボタンに対応する入力操作信号がＣＰＵ５５１に対して出力されると、ステップＳ３５において、ＣＰＵ５５１は、受光部５３において受光された光に基づいて出力される電気信号を、送信部２４により装置本体４に送信する処理を開始する。
ステップＳ３６において、装置本体４のＣＰＵ４９１は、リモコン５から送信された電気信号を受信部４６において受信する。そして、ステップＳ３７において、受信した電気信号の点滅の周期を信号解析部４７において検出し、この電気信号の点滅の周期が、Ｄ１端子の出力フォーマット形式に対応づけられた周期（例えば、０．５秒間隔）であるか否かを判断する。ＣＰＵ４９１は、ステップＳ３７において、点滅の周期がＤ１端子の出力フォーマット形式に対応付けられた周期でないと判断すると（ステップＳ３７；Ｎｏ）、ステップＳ３８において、所定時間が経過したか否かを判断し、所定時間が経過したと判断すると（ステップＳ３８；Ｙｅｓ）、エラーであるとして本処理を終了し、所定時間が経過していないと判断すると（ステップＳ３８；Ｎｏ）、ステップＳ３６に戻って以上の処理を繰り返す。一方、ＣＰＵ４９１は、ステップＳ３７において、点滅の周期がＤ１端子の出力フォーマット形式に対応付けられた周期であると判断すると（ステップＳ３７；Ｙｅｓ）、ステップＳ３９に進む。
【０１０１】
ステップＳ３９において、ＣＰＵ４９１は、出力端子部４５のＤ端子４５ａから、Ｄ２端子の出力フォーマット形式（すなわち、４８０ｐ）により、当該出力フォーマット形式に対応づけられた周期（例えば、１．０秒間隔）で点滅する映像信号を、Ｄ端子ケーブルＤ２によりテレビジョン受像機２００に送信する。当該映像信号がテレビジョン受像機２００において受信されて所定の映像表示処理が行われると、ステップＳ４０において、表示部３８に１．０秒間隔で点滅する映像と、「リモコン５をＴＶ画面に向けてください」等の文字が表示される。
ステップＳ４１において、ＣＰＵ４９１は、リモコン５から送信された電気信号を受信部４６において受信する。そして、ステップＳ４２において、受信した電気信号の点滅の周期を信号解析部４７において検出し、この電気信号の点滅の周期が、Ｄ２端子の出力フォーマット形式に対応づけられた周期（例えば、１．０秒）であるか否かを判断する。ＣＰＵ４９１は、ステップＳ４２において、点滅の周期がＤ２端子の出力フォーマット形式に対応付けられた周期でないと判断すると（ステップＳ４２；Ｎｏ）、ステップＳ４３において、所定時間が経過したか否かを判断し、所定時間が経過したと判断すると（ステップＳ４３；Ｙｅｓ）、ステップＳ４４において、Ｄ１端子の出力フォーマット形式を、Ｄ端子４５ａの出力フォーマット形式として設定し、メモリ部１９２の出力設定データ１９２２ａに記憶させ、所定時間が経過していないと判断すると（ステップＳ４３；Ｎｏ）、ステップＳ４１に戻って以上の処理を繰り返す。
以下のステップＳ４５〜ステップＳ５０と、ステップＳ５１〜ステップＳ５６は、上述のステップＳ３９〜ステップＳ４４と同様の処理が行われるため、ここでの説明は省略する。
その後、ステップＳ５７において、ＣＰＵ４９１は、Ｄ４端子の出力フォーマット形式を、Ｄ端子４５ａの出力フォーマット形式として設定し、メモリ部１９２の出力設定データ１９２２ａに記憶させる。さらに、ステップＳ５８において、装置本体４からの制御信号に基づいて、リモコン５におおける送信部２４による電気信号の送信が停止し、本処理が終了する。
【０１０２】
以上説明した実施形態２におけるＤＶＤプレーヤ３００によれば、映像信号を複数の出力フォーマット形式で出力可能なＤ端子４５ａが備わるとともに、ＣＰＵ４９１による出力プログラム４９３ａの実行により、Ｄ端子４５ａから出力する映像信号の出力フォーマット形式が順に切り替えられて、切り替えた出力フォーマット形式毎に予め設定されたそれぞれ異なる周期で点滅する映像信号がテレビジョン受像機２００に出力され、受光プログラム５５３ａの実行により、受光した光に基づいて光電変換が行われて、電気信号が出力され、取得プログラム４９３ｂの実行により、出力プログラム４９３ａにより出力される映像信号の出力フォーマット形式が切り替わる度に、受光プログラム５５３ａにより出力された電気信号が取得され、判別プログラム４９３ｃの実行により、取得プログラム４９３ｂにより取得された電気信号に基づく映像信号の点滅の周期の各々が、当該映像信号を出力した出力フォーマット形式に対応する点滅の周期であるか否かが判別され、出力設定プログラム４９３ｄの実行により、判別プログラム４９３ｃの実行による判別結果に基づいて、映像信号を出力した出力フォーマット形式に対応する点滅の周期であると判別された出力フォーマット形式のうち、最も上位の規格の出力フォーマット形式が、Ｄ端子４５ａの出力フォーマット形式として設定される。
したがって、ＤＶＤプレーヤ３００側で、各出力フォーマット形式に対応する画像が表示されているかが判別され、その判別結果に基づいてテレビジョン受像機２００が画像表示できる出力フォーマット形式のうち、最も上位の規格の出力フォーマット形式が自動的に設定されることとなるので、ユーザに負担をかけることなく、テレビジョン受像機２００に合った最適な映像出力端子を設定することができるＤＶＤプレーヤ３００を提供することができる。
【０１０３】
なお、本発明は、発明の趣旨を逸脱しない範囲において種々の改良並びに設計の変更を行っても良い。
例えば、映像出力装置及び表示装置は、上記実施形態で例示したＤＶＤプレーヤ、テレビジョン受像機に限られない。
また、例えば、テレビジョン受像機２００における表示に基づいて、テレビジョン受像機２００の対応するフォーマット形式を判別する手段は、各出力フォーマット形式に対応する画像の色や点滅の周期に基づいて行う場合に限られず、例えば、各出力フォーマット形式に対応する文字・画像等に基づいて行う構成であっても良い。
【図面の簡単な説明】
【０１０４】
【図１】実施形態１におけるＤＶＤプレーヤ及びテレビジョン受像機の全体構成を例示する図である。
【図２】実施形態１におけるテレビジョン受像機の要部構成を例示するブロック図である。
【図３】実施形態１におけるリモートコントローラの要部構成を例示するブロック図である。
【図４】実施形態１における装置本体の要部構成を例示するブロック図である。
【図５】対応色テーブルを例示する図である。
【図６】実施形態１において行われるＤ端子最適化処理を示すフローチャートである。
【図７】実施形態１において行われるＤ端子最適化処理を示すフローチャートである。
【図８】実施形態２におけるＤＶＤプレーヤ及びテレビジョン受像機の全体構成を例示する図である。
【図９】実施形態２におけるリモートコントローラの要部構成を例示するブロック図である。
【図１０】実施形態２における装置本体の要部構成を例示するブロック図である。
【図１１】点滅周期テーブルを例示する図である。
【図１２】実施形態２において行われるＤ端子最適化処理を示すフローチャートである。
【図１３】実施形態２において行われるＤ端子最適化処理を示すフローチャートである。
【符号の説明】
【０１０５】
１００    ＤＶＤプレーヤ（映像出力装置）
１        装置本体
１５ａ    Ｄ端子（映像出力端子）
１６      受信部（画像取得手段）
１９１    ＣＰＵ（出力手段、画像取得手段、判別手段、出力設定手段）
１９３ａ  出力プログラム（出力手段）
１９３ｂ  画像取得プログラム（画像取得手段）
１９３ｃ  判別プログラム（判別手段）
１９３ｄ  出力設定プログラム（出力設定手段）
２        リモートコントローラ
２３      撮像部（撮像手段）
２４      送信部（送信手段）
２５１    ＣＰＵ（撮像手段、送信手段）
２５３ａ  撮像プログラム（撮像手段）
２５３ｂ  送信プログラム（送信手段）
２００    テレビジョン受像機（表示装置）
３８      表示部
３００    ＤＶＤプレーヤ（映像出力装置）
４５ａ    Ｄ端子（映像出力端子）
４６      受信手段（取得手段）
４９１    ＣＰＵ（出力手段、取得手段、判別手段、出力設定手段）
４９３ａ  出力プログラム（出力手段）
４９３ｂ  取得プログラム（取得手段）
４９３ｃ  判別プログラム（判別手段）
４９３ｄ  出力設定プログラム（出力設定手段）
５３      受光部（受光手段）
５５１    ＣＰＵ（受光手段、送信手段）
５５３ａ  受光プログラム（受光手段）
５５３ｂ  送信プログラム（送信手段）
Ｃ１      接続ケーブル
【図１】
2008182398.tif 000003
【図２】
2008182398.tif 000004
【図３】
2008182398.tif 000005
【図４】
2008182398.tif 000006
【図５】
2008182398.tif 000007
【図６】
2008182398.tif 000008
【図７】
2008182398.tif 000009
【図８】
2008182398.tif 000010
【図９】
2008182398.tif 000011
【図１０】
2008182398.tif 000012
【図１１】
2008182398.tif 000013
【図１２】
2008182398.tif 000014
【図１３】
2008182398.tif 000015